(57)【要約】【課題】  本発明は、フレームメモリの容量を削減するため画像データの符号化・復号化を行う液晶駆動用画像処理回路において、動画像が入力された場合であっても符号化・復号化の誤差の影響を生じることなく、画像データの補正を正確に行い、適切な補正電圧を液晶に印加することが可能な液晶駆動用画像処理回路を提供することを目的とする。【解決手段】  本発明に係る液晶駆動用画像処理回路は、現フレームの画像データに対応する第１の復号化画像データと、１フレーム前の画像データに対応する第２の復号化画像データとの差分を画素毎に求め、当該差分に基づいて、現フレームの画像データと第２の復号化画像データのいずれかを画素毎に選択して１フレーム前画像データを生成し、１フレーム前画像データおよび現フレームの画像データに基づいて、当該現フレームの画像の階調値を補正するものである。【選択図】  図１
2005352155.tif 000002
【特許請求の範囲】
【請求項１】
液晶に印加される電圧に対応する画像の各画素の階調値を表す画像データを、前記各画素における階調値の変化に基づいて補正して出力する液晶駆動用画像処理回路であって、
現フレームの画像を表す画像データを符号化することにより、前記現フレームの画像に対応する符号化画像データを出力する符号化手段と、
前記符号化画像データを復号化することにより前記現フレームの画像データに対応する第１の復号化画像データを出力する復号化手段と、
前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データと前記第２の復号化画像データとの差分を画素毎に求め、当該差分に基づいて、前記現フレームの画像データと前記第２の復号化画像データのいずれかを画素毎に選択して１フレーム前画像データを生成する手段と、
前記１フレーム前画像データおよび前記現フレームの画像データに基づいて、当該現フレームの画像の階調値を補正する画像データ補正手段とを備えたことを特徴とする液晶駆動用画像処理回路。
【請求項２】
１フレーム前画像データを生成する手段は、第１の復号化画像データと第２の復号化画像データとの差分が所定の閾値より小さい場合は現フレームの画像データを選択し、前記閾値より大きい場合は前記第２の復号化画像を選択することにより前記１フレーム前画像データを生成することを特徴とする請求項１に記載の液晶駆動用画像処理回路。
【請求項３】
１フレーム前画像データを生成する手段は、第１の復号化画像データと第２の復号化画像データとの差分が第１の閾値より小さい場合は現フレームの画像データを選択し、第２の閾値より大きい場合は前記第２の復号化画像を選択し、前記第１の閾値以上かつ前記第２の閾値以下である場合は前記現フレームの画像データと前記第２の複合化画像データとの重み付き平均値を選択することにより前記１フレーム前画像データを生成することを特徴とする請求項１に記載の液晶駆動用画像処理回路。
【請求項４】
画像データ補正手段は、１フレーム前画像データおよび現フレームの画像データに基づいて、当該現フレームの画像の階調値を補正するための補正量、または当該補正量を用いて前記現フレームの画像データを補正した補正画像データを出力するルックアップテーブルを備えることを特徴とする請求項１〜３のいずれか１項に記載の液晶駆動用画像処理回路。
【請求項５】
現フレームの画像データ、および１フレーム前画像データのビット数を削減するデータ変換手段をさらに備え、
画像データ補正手段は、前記データ変換手段によりビット数を削減した前記現フレームの画像データ、および前記１フレーム前画像データに基づいて、当該現フレームの画像の階調値を補正することを特徴とする請求項１〜３のいずれか１項に記載の液晶駆動用画像処理回路。
【請求項６】
液晶に印加される電圧に対応する画像の各画素の階調値を表す画像データを、前記各画素における階調値の変化に基づいて補正して出力する液晶駆動用画像処理回路であって、
現フレームの画像を表す画像データを符号化することにより、前記現フレームの画像に対応する符号化画像データを出力する符号化手段と、
前記符号化画像データを復号化することにより前記現フレームの画像データに対応する第１の復号化画像データを出力する復号化手段と、
前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データと前記第２の復号化画像データとの差分を画素毎に求める手段と、
前記１フレーム前画像データおよび前記現フレームの画像データに基づいて、当該現フレームの画像の階調値を補正する補正量を出力する手段と、
前記第１の復号化画像データと前記第２の復号化画像データとの差分に基づいて前記補正量を調整し、調整された補正量に基づいて前記現フレームの画像データを補正する補正手段とを備えたことを特徴とする液晶駆動用画像処理回路。
【請求項７】
請求項１〜６のいずれか１項に記載の液晶駆動用画像処理回路を備えたことを特徴とする液晶表示装置。
【請求項８】
液晶に印加される電圧に対応する画像の各画素の階調値を表す画像データを、前記各画素における階調値の変化に基づいて補正して出力する液晶駆動用画像処理方法であって、
現フレームの画像を表す画像データを符号化することにより、前記現フレームの画像に対応する符号化画像データを出力し、
前記符号化画像データを復号化することにより前記現フレームの画像データに対応する第１の復号化画像データを出力し、
前記符号化画像データを１フレームに相当する期間遅延してから復号化することにより、前記現フレームの１フレーム前の画像データに対応する第２の復号化画像データを出力し、
前記第１の復号化画像データと前記第２の復号化画像データとの差分を画素毎に求め、当該差分に基づいて、前記現フレームの画像データと前記第２の復号化画像データのいずれかを画素毎に選択して１フレーム前画像データを生成し、
前記１フレーム前画像データおよび前記現フレームの画像データに基づいて、当該現フレームの画像の階調値を補正することを特徴とする液晶駆動用画像処理方法。
【請求項９】
第１の復号化画像データと第２の復号化画像データとの差分が所定の閾値より小さい場合は現フレームの画像データを選択し、前記閾値より大きい場合は前記第２の復号化画像を選択することにより前記１フレーム前画像データを生成することを特徴とする請求項８に記載の液晶駆動用画像処理方法。
【請求項１０】
第１の復号化画像データと第２の復号化画像データとの差分が第１の閾値より小さい場合は現フレームの画像データを選択し、第２の閾値より大きい場合は前記第２の復号化画像を選択し、前記第１の閾値以上かつ前記第２の閾値以下である場合は前記現フレームの画像データと前記第２の複合化画像データとの重み付き平均値を選択することにより前記１フレーム前画像データを生成することを特徴とする請求項８に記載の液晶駆動用画像処理方法。
【請求項１１】
現フレームの画像データ、および１フレーム前画像データのビット数を削減し、
ビット数を削減した前記現フレームの画像データ、および前記１フレーム前画像データに基づいて、当該現フレームの画像の階調値を補正することを特徴とする請求項８〜１０のいずれか１項に記載の液晶駆動用画像処理方法。
【請求項１２】
液晶に印加される電圧に対応する画像の各画素の階調値を表す画像データを、前記各画素における階調値の変化に基づいて補正して出力する液晶駆動用画像処理方法であって、
現フレームの画像を表す画像データを符号化することにより、前記現フレームの画像に対応する符号化画像データを出力し、
前記符号化画像データを復号化することにより前記現フレームの画像データに対応する第１の復号化画像データを出力し、
前記符号化画像データを１フレームに相当する期間遅延して復号化することにより、前記現フレームの１フレーム前の画像データに対応する第２の復号化画像データを出力し、
前記第１の復号化画像データと前記第２の復号化画像データとの差分を画素毎に求め、
前記１フレーム前画像データおよび前記現フレームの画像データに基づいて、当該現フレームの画像の階調値を補正する補正量を出力し、
前記第１の復号化画像データと前記第２の復号化画像データとの差分に基づいて前記補正量を調整し、調整された補正量に基づいて前記現フレームの画像データを補正することを特徴とする液晶駆動用画像処理方法。
【発明の詳細な説明】
【背景技術】
【０００１】
液晶パネルは、薄型・軽量であるため、テレビジョン受信機、コンピュータのディスプレイ装置、携帯情報端末の表示部等の表示装置として広く用いられている。しかし、液晶は駆動電圧を印加してから所定の透過率に到達するまでに一定の時間を要するため、変化の早い動画に対応できないという欠点がある。こうした問題を解決するため、フレーム間で階調値が変化する場合、１フレーム以内に液晶が所定の透過率に到達するよう、液晶に過電圧を印加する駆動方法が採用されている（特許文献１）。具体的には、１フレーム前の画像データと現フレームの画像データとを画素毎に比較し、階調値が変化している場合はその変化量に対応する補正量を現フレームの画像データに加算する。これにより、１フレーム前とで階調値が増加した場合は液晶パネルにおいて通常よりも高い駆動電圧が印加され、減少した場合は通常よりも低い電圧が印加される。
【０００２】
上記の方法を実施するためには、１フレーム前の画像データを出力するためのフレームメモリが必要となる。近年、液晶パネルの大型化による表示画素数の増加に伴い、フレームメモリの容量も大きくする必要が生じている。また、表示画素数が増えると、所定期間内（例えば１フレーム期間内）にフレームメモリへの書き込みおよび読み出しを行うデータ量が増えるので、書き込みおよび読み出しを制御するクロック周波数を高くし、データの転送速度を増加させる必要が生じる。こうしたフレームメモリ、および転送速度の増加は、液晶表示装置のコストの上昇につながる。
【０００３】
こうした問題を解消するため、特許文献２に記載された液晶駆動用画像処理回路においては、画像データを符号化してからフレームメモリに記憶することによりメモリ容量の削減を図っている。また、符号化した画像データを復号化して得られる現フレームの復号化画像データと、符号化した画像データを１フレーム期間遅延してから復号化して得られる１フレーム前の復号化画像データとの比較に基づいて画像データの補正を行うことにより、静止画が入力された場合に、符号化・復号化の誤差に伴う不要な過電圧が液晶に印加されるのを防ぐことができる。
【０００４】
【特許文献１】特許第２６１６６５２号公報
【特許文献２】特開２００３-２０２８４５号公報
【発明の開示】
【発明が解決しようとする課題】
【０００５】
上記した特許文献２に記載の液晶駆動用画像処理回路によれば、現フレームの復号化画像データと、１フレーム前の復号化画像データとの比較に基づいて画像データの補正を行うので、画像の変化が小さい静止画像が入力された場合は、符号化・復号化による誤差を相殺し、不要な補正を行うことなく正確に静止画像を表示することができる。しかし、動画像が入力された場合は、復号化画像データ同士を比較することで、１フレーム間における画像の変化の態様によっては符号化・復号化誤差が補正後の画像データに大きく反映されることがある。これにより、動画像が入力された場合、液晶に不要な過電圧が印加されるという問題が生じる。
【０００６】
本発明は上記の問題に鑑みてなされたものであり、フレームメモリの容量を削減するため画像データの符号化・復号化を行う液晶駆動用画像処理回路において、動画像が入力された場合であっても符号化・復号化の誤差の影響を生じることなく、画像データの補正を正確に行い、適切な補正電圧を液晶に印加することが可能な液晶駆動用画像処理回路を提供することを目的とする。
【課題を解決するための手段】
【０００７】
本発明に係る第１の液晶駆動用画像処理回路は、液晶に印加される電圧に対応する画像の各画素の階調値を表す画像データを、前記各画素における階調値の変化に基づいて補正して出力する液晶駆動用画像処理回路であって、
現フレームの画像を表す画像データを符号化することにより、前記現フレームの画像に対応する符号化画像データを出力する符号化手段と、
前記符号化画像データを復号化することにより前記現フレームの画像データに対応する第１の復号化画像データを出力する復号化手段と、
前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データと前記第２の復号化画像データとの差分を画素毎に求め、当該差分に基づいて、前記現フレームの画像データと前記第２の復号化画像データのいずれかを画素毎に選択して１フレーム前画像データを生成する手段と、
前記１フレーム前画像データおよび前記現フレームの画像データに基づいて、当該現フレームの画像の階調値を補正する画像データ補正手段とを備えたものである。
【０００８】
また、本発明に係る第２の液晶駆動用画像処理回路は、液晶に印加される電圧に対応する画像の各画素の階調値を表す画像データを、前記各画素における階調値の変化に基づいて補正して出力する液晶駆動用画像処理回路であって、
現フレームの画像を表す画像データを符号化することにより、前記現フレームの画像に対応する符号化画像データを出力する符号化手段と、
前記符号化画像データを復号化することにより前記現フレームの画像データに対応する第１の復号化画像データを出力する復号化手段と、
前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データと前記第２の復号化画像データとの差分を画素毎に求める手段と、
前記１フレーム前画像データおよび前記現フレームの画像データに基づいて、当該現フレームの画像の階調値を補正する補正量を出力する手段と、
前記第１の復号化画像データと前記第２の復号化画像データとの差分に基づいて前記補正量を調整し、調整された補正量に基づいて前記現フレームの画像データを補正する補正手段とを備えたものである。
【０００９】
本発明に係る第１の液晶駆動用画像処理方法は、液晶に印加される電圧に対応する画像の各画素の階調値を表す画像データを、前記各画素における階調値の変化に基づいて補正して出力する液晶駆動用画像処理方法であって、
現フレームの画像を表す画像データを符号化することにより、前記現フレームの画像に対応する符号化画像データを出力し、
前記符号化画像データを復号化することにより前記現フレームの画像データに対応する第１の復号化画像データを出力し、
前記符号化画像データを１フレームに相当する期間遅延してから復号化することにより、前記現フレームの１フレーム前の画像データに対応する第２の復号化画像データを出力し、
前記第１の復号化画像データと前記第２の復号化画像データとの差分を画素毎に求め、当該差分に基づいて、前記現フレームの画像データと前記第２の復号化画像データのいずれかを画素毎に選択して１フレーム前画像データを生成し、
前記１フレーム前画像データおよび前記現フレームの画像データに基づいて、当該現フレームの画像の階調値を補正するものである。
【００１０】
また、本発明に係る第２の液晶駆動用画像処理方法は、液晶に印加される電圧に対応する画像の各画素の階調値を表す画像データを、前記各画素における階調値の変化に基づいて補正して出力する液晶駆動用画像処理方法であって、
現フレームの画像を表す画像データを符号化することにより、前記現フレームの画像に対応する符号化画像データを出力し、
前記符号化画像データを復号化することにより前記現フレームの画像データに対応する第１の復号化画像データを出力し、
前記符号化画像データを１フレームに相当する期間遅延して復号化することにより、前記現フレームの１フレーム前の画像データに対応する第２の復号化画像データを出力し、
前記第１の復号化画像データと前記第２の復号化画像データとの差分を画素毎に求め、
前記１フレーム前画像データおよび前記現フレームの画像データに基づいて、当該現フレームの画像の階調値を補正する補正量を出力し、
前記第１の復号化画像データと前記第２の復号化画像データとの差分に基づいて前記補正量を調整し、調整された補正量に基づいて前記現フレームの画像データを補正するものである。
【発明の効果】
【００１１】
本発明に係る第１の液晶駆動用画像処理回路、および画像処理方法によれば、
第１の復号化画像データと第２の復号化画像データとの差分を画素毎に求め、当該差分に基づいて、現フレームの画像データと第２の復号化画像データのいずれかを画素毎に選択して１フレーム前画像データを生成し、１フレーム前画像データおよび現フレームの画像データに基づいて、当該現フレームの画像の階調値を補正するので、
静止画像、および動画像のいずれが入力された場合においても、不要な過電圧を印加することなく液晶の応答速度を適切に制御することができる。
【００１２】
本発明に係る第２の液晶駆動用画像処理回路、および画像処理方法によれば、
第１の復号化画像データと第２の復号化画像データとの差分に基づいて現フレームの画像の階調値を補正する補正量を調整するので、静止画像が入力された場合は不要な補正を行わず、動画像が入力された場合はその変化量に応じた補正を行い、適切な電圧を液晶に印加することができる。
【発明を実施するための最良の形態】
【００１３】
実施の形態１．
図１は、本発明に係る液晶駆動用画像処理回路を備えた液晶表示装置の構成を示すブロック図である。受信部２は、入力端子１を介して入力される映像信号に対し、選局、復調等の処理を行うことにより、１フレーム分の画像（現フレームの画像）を表す現画像データＤｉ１を画像データ処理部３に順次出力する。画像データ処理部３は、符号化回路４、遅延回路５、復号化回路６，７、変化量算出回路８、１フレーム前画像演算回路９、および画像データ補正回路１０により構成される。画像データ処理部３は、画像データＤｉ１を階調値の変化に基づいて補正し、補正画像データＤｊ１を表示部１１に出力する。表示部１１は、補正画像データＤｊ１により指定される所定の駆動電圧を液晶に印加することにより画像を表示する。
【００１４】
以下、画像データ処理部３の動作について説明する。
符号化回路４は、現画像データＤｉ１を符号化することによりデータ容量を圧縮し、符号化画像データＤａ１を出力する。符号化方式としては、ＦＢＴＣやＧＢＴＣなどのブロック符号化（ＢＴＣ）を用いることができる。また、ＪＰＥＧといった直行変換を用いた符号化、ＪＰＥＧ−ＬＳといった予測符号化、ＪＰＥＧ２０００といったウェーブレット変換など、静止画用の符号化方式であれば任意のものを用いることができる。こうした静止画用の符号化方法は、符号化前の画像データと復号化された画像データが完全に一致しない非可逆符号化であっても適用することが可能である。
【００１５】
遅延回路５は、符号化画像データＤａ１を１フレームに相当する期間遅延し、１フレーム前の符号化画像データＤａ０を出力する。ここで、符号化回路４における画像データＤｉ１の符号化率（データ圧縮率）を高くするほど、符号化画像データＤａ１を遅延するために必要な遅延回路５のメモリの容量を少なくすることができる。
【００１６】
復号化回路６は、符号化画像データＤａ１を復号化することにより、現画像データＤｉ１に対応する復号化画像データＤｂ１を出力する。また、復号化回路７は、遅延回路５により１フレームに相当する期間遅延された符号化画像データＤａ０を復号化することにより、１フレーム前の画像を表す復号化画像データＤｂ０を出力する。
【００１７】
変化量算出回路８は、現フレームの画像データに対応する復号化画像データＤｂ１と、１フレーム前の画像データに対応する復号化画像データＤｂ０との差分を画素毎に求め、当該差分の絶対値を変化量Ｄｖ１として出力する。この変化量Ｄｖ１は、現画像データＤｉ１、および復号化画像データＤｂ０とともに１フレーム前画像演算回路９に入力される。
【００１８】
１フレーム前画像演算回路９は、変化量Ｄｖ１が所定の閾値ＳＨ０より大きい画素については復号化画像データＤｂ０を１フレーム前の画像データとして選択し、変化量Ｄｖ１がＳＨ０より小さい画素については現画像データＤｉ１を１フレーム前の画像データとして選択することにより、１フレーム前画像データＤｑ０を生成する。１フレーム前画像データＤｑ０は、画像データ補正回路１０に入力される。
【００１９】
画像データ補正回路１０は、現画像データＤｉ１と、１フレーム前画像データＤｑ０との比較により得られる１フレーム間における階調値の変化に基づいて、液晶が１フレーム期間内に画像データＤｉ１により指定される所定の透過率となるよう画像データＤｉ１を補正し、補正画像データＤｊ１を出力する。図２は、補正画像データＤｊ１に基づく駆動電圧を液晶に印加した場合の応答特性を示す図である。図２において、（ａ）は現画像データＤｉ１、（ｂ）は補正画像データＤｊ１、（ｃ）は当該画像データＤｊ１に基づく駆動電圧を印加して得られる液晶の応答特性を示す図である。図２（ｃ）において、破線により示す特性は現画像データＤｉ１に基づく駆動電圧を印加したときの液晶の応答特性である。図２（ｂ）に示すように階調値が増加・減少する場合、補正量Ｖ１，Ｖ２を現画像データＤｉ１に加算・減算することにより、補正画像データＤｊ１が生成される。この補正画像データＤｊ１に基づく駆動電圧を液晶に印加することにより、図２（ｃ）に示すように略１フレーム期間内に液晶を現画像データＤｉ１により指定される所定の透過率に到達させることができる。
【００２０】
本発明に係る液晶駆動用画像処理回路においては、現フレームの復号化画像データＤｂ１と１フレーム前の復号化画像データＤｂ０との間の変化量Ｄｖ１を画素毎に求め、変化量Ｄｖ１が閾値ＳＨ０より大きい画素については復号化画像データＤｂ０を１フレーム前の画像データとして選択し、変化量Ｄｖ１がＳＨ０より小さい画素については現画像データＤｉ１を１フレーム前の画像データとして選択することにより出力される１フレーム前画像データＤｑ０と、現画像データＤｊ１との比較に基づいて補正画像データＤｊ１を生成する。これにより、符号化回路４、および復号化回路６，７における符号化・復号化による誤差の影響を低減することができる。
【００２１】
図３は、この符号化・復号化による誤差の影響について説明するための図である。図３（ａ），（ｄ）は、１フレーム前の現画像データＤｉ０、および現フレームの現画像データＤｉ１の値を示している。図３（ｂ），（ｅ）は、図３（ａ），（ｄ）に示す１フレーム前の現画像データＤｉ０、および現フレームの画像データＤｉ１をＦＢＴＣにより符号化した符号化データを示している（ここでは、代表値（Ｌａ，Ｌｂ）を８ビットとし、各画素に１ビットを割り当てて符号化を行っている）。図３（ｃ），（ｆ）は、図３（ｂ），（ｅ）に示す符号化データを復号化して得られる１フレーム前の復号化画像データＤｂ０、および現フレームの復号化画像データＤｂ１を示している。
【００２２】
図３（ｇ）は、図３（ａ），（ｂ）に示す現画像データＤｉ０，Ｄｉ１との差である画像の実際の変化量を示し、図３（ｈ）は、図３（ｃ），（ｆ）に示す復号化画像データＤｂ０，Ｄｂ１との差である変化量Ｄｖ１を示している。図３（ｉ）は、図３（ｇ）に示す画像の実際の変化量と、図３（ｈ）に示す復号化画像の変化量Ｄｖ１との誤差１を示す図である。図３（ｈ）に示すように、１フレーム前とで階調値が変化しない１列目の画素においては実際の画像の変化量と変化量Ｄｖ１との間に誤差は生じないが、１フレーム前とで階調値が変化する２〜４列目の画素においては実際の画像の変化量と変化量Ｄｖ１との間に誤差が生じる。なわち、符号化・復号化による誤差の影響が現れる。
【００２３】
図３（ｊ）は、図３（ｈ）に示す変化量Ｄｖ１と閾値ＳＨ１との比較に基づいて、現画像データＤｉ１、および復号化画像Ｄｂ０のいずれかを選択して出力される１フレーム前画像データＤｑ０の値を示す図である。ここでは、閾値ＳＨ１＝１０として１フレーム前画像データＤｑ０の選択を行うものとする。先述したように、前回フレーム演算部９は、変化量Ｄｖ１が閾値ＳＨより小さい場合は現画像データＤｉ１を１フレーム前画像データとして選択し、大きい場合は復号化画像データＤｂ０を選択するが、この選択は画素毎に行われる。したがって、変化量Ｄｖ１が０となる１列目および２列目の画素においては、図３（ｄ）に示す現画像データＤｉ１が１フレーム前画像データＤｑ０として選択される。一方、変化量Ｄｖ１が５０である３列目および４列目においては、図３（ｃ）に示す復号化画像データＤｂ０が１フレーム前画像データＤｑ０として選択される。
【００２４】
図３（ｋ）は、図３（ｊ）に示す１フレーム前画像データＤｑ０と、図３（ｄ）に示す現画像データＤｉ１との間の変化量を示す図であり、図３（ｌ）は、図３（ｋ）に示す１フレーム前画像データＤｑ０と現画像データＤｉ１との間の変化量と、図３（ｇ）に示す実際の変化量との誤差を示す図である。図３（ｌ）に示すように、１フレーム前画像データＤｑ０と現画像データＤｊ１との間の変化量の誤差２は、図３（ｉ）に示す復号化画像データＤｂ０，Ｄｂ１との間の変化量の誤差１より少ない。したがって、変化量Ｄｖ１に基づいて現画像データＤｉ１、および復号化画像Ｄｂ０のいずれかを選択して生成される１フレーム前画像データと、現画像データＤｉ１との変化量に基づいて補正画像データＤｊ１を出力することにより、１フレーム前とで階調値が変化する領域における符号化・復号化の誤差の影響を低減し、補正画像データＤｊ１を正確に求めることができる。
【００２５】
図４は、以上に説明した本実施の形態に係る液晶駆動用画像処理回路の処理工程を示すフローチャートである。
まず、現画像データＤｉ１が画像データ処理部３に入力される（Ｓｔ１）。符号化回路４は、入力された現画像データＤｉ１を符号化し、符号化画像データＤａ１を出力する（Ｓｔ２）。遅延回路５は、符号化画像データＤａ１を１フレーム期間遅延し、１フレーム前の符号化画像データＤａ０を出力する（Ｓｔ３）。復号化回路７は、符号化画像データＤａ０を復号化し、１フレーム前の現画像データＤｉ０に対応する復号化画像データＤｂ０を出力する（Ｓｔ４）。これらの処理に並行して、復号化回路６は、符号化画像データＤａ１を復号化し、現フレームの現画像データＤｉ１に対応する復号化画像データＤｂ１を出力する（Ｓｔ５）。
【００２６】
変化量算出回路８は、１フレーム前の復号化画像データＤｂ０と、現フレームの復号化画像データＤｂ１との差分を画素毎に求め、この差分の絶対値を変化量Ｄｖ１として出力する（Ｓｔ６）。１フレーム前画像データ演算回路９は、変化量Ｄｖ１と閾値ＳＨ０とを比較し、変化量Ｄｖ１が閾値ＳＨ０より小さい画素については現画像データＤｉ１を選択し、変化量Ｄｖ１が閾値ＳＨ０より大きい画素については復号化画像データＤｂ０を選択して、前回フレーム画像データＤｑ０として出力する（Ｓｔ７）。
【００２７】
画像データ補正回路１０は、１フレーム前画像データＤｑ０と、現画像データＤｉ０との比較によって得られる階調値の変化に基づいて、液晶が１フレーム期間内に現画像データＤｉ１により指定される所定の透過率となるよう駆動するのに必要な補正量を求め、この補正量を用いて現画像データＤｉ１を補正し、補正画像データＤｊ１を出力する（Ｓｔ８）。
上記Ｓｔ１〜Ｓｔ８の処理が、現画像データＤｉ１の各画素に対して実施される。
【００２８】
以上において説明した本実施の形態に係る液晶駆動用画像処理回路によれば、現フレームの復号化画像データＤｂ１と１フレーム前の復号化画像データＤｂ０との間の変化量Ｄｖ１を画素毎に求め、変化量Ｄｖ１と閾値ＳＨ０より大きい画素については復号化画像データＤｂ０を１フレーム前の画像データとして選択し、変化量Ｄｖ１がＳＨ０より小さい画素については現画像データＤｉ１を１フレーム前の画像データとして選択することにより出力される１フレーム前画像データＤｑ０と現画像データＤｊ１との比較に基づいて補正画像データＤｊ１を生成する。したがって、静止画が入力された場合は変化量Ｄｖ１＝０となり、現画像データＤｉ１同士の比較に基づいて補正量が算出されるので、補正は行われない。また、動画像が入力された場合は、変化量Ｄｖ１が閾値ＳＨ０を越える画素については現画像データＤｊ１と復号化画像データＤｂ０との比較に基づく補正量が算出されるので、図３により説明したように、符号化・復号化による誤差の影響を受けることなく正確に補正画像データＤｊ１を求めることができる。つまり、静止画像、および動画像のいずれが入力された場合においても、不要な過電圧を印加することなく液晶の応答速度を適切に制御することができる。
【００２９】
尚、１フレーム前画像データＤｑ０は、以下の式（１）により算出してもよい。
Ｄｑ０＝ｋ×Ｄｂ０＋（１−ｋ）×Ｄｉ１  …式（１）
上記式（１）において、ｋは変化量Ｄｖ１の値に基づく係数である。図５は、係数ｋと変化量Ｄｖ１との関係を示す図である。図５に示すように、変化量Ｄｖ１に対し、２つの閾値ＳＨ０，ＳＨ１（ＳＨ０＜ＳＨ１）が予め設定されており、Ｄｖ１＜ＳＨ０の場合はｋ＝０となり、現画像データＤｉ１が１フレーム前画像データＤｑ０として選択され、Ｄｖ１＞ＳＨ１の場合はｋ＝１となり、復号化画像データＤｂ０が１フレーム前画像データＤｑ０として出力される。また、ＳＨ０≦Ｄｖ１≦ＳＨ１の場合は０≦ｋ≦１となり、現画像データＤｉ１と復号化画像データＤｂ０との重み付き平均が１フレーム前画像データＤｑ０として算出される。
このように、式（１）を用いることで、変化量Ｄｖ１が閾値付近にある場合であっても、より誤差の少ない理想的な１フレーム前画像データＤｑ０を求めることができる。
【００３０】
実施の形態２．
実施の形態１において、画像データ補正回路１０は、１フレーム前画像データＤｑ０と現画像データＤｉ０との比較により得られる階調値の変化に基づいて補正量を算出し、補正画像データＤｊ１を生成するものとしたが、ルックアップテーブル等のメモリ手段を設け、予め格納した補正量を読み出して現画像データＤｉ１を補正し、補正画像データＤｊ１を出力する構成としてもよい。
【００３１】
図６は、本実施の形態に係る画像データ補正回路１０の内部構成を示すブロック図である。ルックアップテーブル１１ｄは、１フレーム前画像データＤｑ０、および現画像データＤｉ１を入力とし、両者の値に基づいて補正量Ｄｃ１を出力する。
図７は、ルックアップテーブル１１ｄの構成の一例を示す模式図である。ルックアップテーブル１１ｄには、現画像データＤｉ１、および１フレーム前画像データＤｑ０が読み出しアドレスとして入力される。現画像データＤｉ１、および１フレーム前画像データＤｑ０がそれぞれ８ビットの画像データの場合、ルックアップテーブル１１ｄには２５６×２５６のデータが補正量Ｄｃ１として格納される。ルックアップテーブル１１ｄは、現画像データＤｉ１、および１フレーム前画像データＤｑ０の各値に対応する補正量Ｄｃ１＝ｄｔ（Ｄｉ１，Ｄｑ０）を読み出して出力する。補正部１１ｃは、ルックアップテーブル１１ｄにより出力された補正量Ｄｃ１を現画像データＤｉ１に加算し、補正画像データＤｊ１を出力する。
【００３２】
図８は、液晶の応答時間の一例を示す図であり、ｘ軸は現画像データＤｉ１の値（現画像における階調値）、ｙ軸は１フレーム前の現画像データＤｉ０の値（１フレーム前の画像における階調値）であり、ｚ軸は液晶が１フレーム前の階調値に対応する透過率から現画像データＤｉ１の階調値に対応する透過率となるまでに要する応答時間を示している。ここで、現画像の階調値が８ビットの場合、現画像データおよび１フレーム前の画像データの階調値の組合せは２５６×２５６通り存在するので、応答時間も２５６×２５６通り存在する。図８においては階調値の組合せに対応する応答時間を８×８通りに簡略化して示している。
【００３３】
図９は、液晶が１フレーム期間経過時に現画像データＤｉ１により指定される透過率となるよう現画像データＤｉ１に加算される補正量Ｄｃ１の値を示す図である。現画像データの階調値が８ビットの場合、補正量Ｄｃ１は、現画像データおよび１フレーム前の画像データの階調値の組合せに対応して２５６×２５６通り存在する。図９においては階調値の組合せに対応する補正量を８×８通りに簡略化して示している。
【００３４】
図８に示すように、液晶の応答時間は、現画像データおよび１フレーム前の画像データの階調値に応じて異なるため、ルックアップテーブル１１ｄには、現画像データおよび１フレーム前の画像データの両階調値に対応する２５６×２５６通りの補正量Ｄｃ１が格納される。液晶は特に、中間階調（グレー）から高階調（白）に変化する際の応答速度が遅い。従って、中間階調を表す１フレーム前画像データＤｑ０と、高階調を表す現画像データＤｉ１に対応する補正量ｄｔ（Ｄｉ１，Ｄｑ０）の値を大きく設定することにより、応答速度を効果的に向上させることができる。また、液晶の応答特性は液晶の材料、電極形状、温度などによって変化するので、こうした使用条件に対応する補正量Ｄｃ１を備えたルックアップテーブル１１を用いることにより、液晶の特性に応じて応答時間を制御することができる。
【００３５】
図１０は、本実施の形態に係る液晶駆動用画像処理回路の処理工程を示すフローチャートである。Ｓｔ１〜Ｓｔ７の工程は実施の形態１と同様であり、これらの工程を経て１フレーム前画像データＤｑ１が出力される。
画像データ補正回路１０は、現画像データＤｉ１、および１フレーム前画像データＤｑ０に基づいて、ルックアップテーブル１１ｄから対応する補正量Ｄｃ１（Ｄｉ１，Ｄｑ０）を読み出し（Ｓｔ９）、補正量Ｄｃ１が０であるか否かを判断する（Ｓｔ１０）。補正量Ｄｃ１が０でない場合、当該補正量Ｄｃ１を用いて現画像データＤｉ１を補正し、補正画像データＤｊ１を出力する（Ｓｔ１１）。補正量Ｄｃ１が０である場合は、補正を行わず、現画像データＤｉ１を補正画像データＤｊ１として出力する（Ｓｔ１２）。
上記の処理が、現画像データＤｉ１の各画素に対して実施される。
【００３６】
以上のように、予め求められた補正量Ｄｃ１を格納したルックアップテーブル１１ｄを用いることにより、補正画像データＤｊ１を出力する際の演算量を削減することができる。
【００３７】
図１１は、本実施の形態に係る画像データ補正回路１０の他の内部構成を示すブロック図である。図１１に示すルックアップテーブル１１ｅは、１フレーム前画像データＤｑ０、および現画像データＤｉ１を入力とし、両者の値に基づいて補正画像データＤｊ１＝（Ｄｉ１，Ｄｑ０）を出力する。ルックアップテーブル１１ｅには、図９に示す２５６×２５６通りの補正量Ｄｃ１＝（Ｄｉ１，Ｄｑ０）を、現画像データＤｉ１に加算することにより得られる補正画像データＤｊ１＝（Ｄｉ１，Ｄｑ０）が格納される。なお、補正画像データＤｊ１は、表示部１１の表示可能な階調の範囲を超えないよう設定される。
【００３８】
図１２は、ルックアップテーブル１１ｅに格納される補正画像データＤｊ１の一例を示す図である。現画像データの階調値が８ビットの場合、補正量Ｄｃ１は、現画像データおよび１フレーム前の画像データの階調値の組合せに対応して２５６×２５６通り存在する。図１２においては階調値の組合せに対応する補正量を８×８通りに簡略化して示している。
【００３９】
このように、予め求められた補正画像データＤｊ１をルックアップテーブル１１ｅに格納し、現画像データＤｉ１、および１フレーム前画像データＤｑ０に基づいて対応する補正画像データＤｊ１を出力することにより、補正画像データＤｊ１を出力する際の演算量をさらに削減することができる。
【００４０】
実施の形態３．
図１３は、本実施の形態に係る画像データ演算部１０の内部構成を示すブロック図である。データ変換回路１３，１４は、それぞれ、現画像データＤｉ１、および１フレーム前画像データＤｑ０のビット数を、例えば８ビットから３ビットに変換した現画像データＤｅ１および１フレーム前画像データＤｅ０を出力する。同時に、データ変換回路１３，１４は、それぞれ、後述する補間係数ｋ１，ｋ０を算出する。ルックアップテーブル１５は、ビット数を削減した現画像データＤｅ１および１フレーム前画像データＤｅ０に基づいて、４つの補正画像データＤｆ１〜Ｄｆ４を出力する。補間回路２４は、補正画像データＤｆ１〜Ｄｆ４、および補間係数ｋ０，ｋ１に基づいて補正画像データＤｃ１を算出する。
【００４１】
図１４は、ルックアップテーブル１５の構成を示す模式図である。ここでは、ビット数変換された現画像データＤｅ１および１フレーム前画像データＤｅ０は３ビット（８階調）のデータであり０〜７の値をとる。図１４に示すように、ルックアップテーブル１５は、２次元に配列される９×９個の補正画像データを有し、３ビットの現画像データＤｅ１および１フレーム前画像データＤｅ０の両値に対応する補正画像データＤｆ１＝ｄｔ（Ｄｅ１，Ｄｅ０）、および当該補正画像データＤｆ１に隣接する３つの補正画像データＤｆ２＝ｄｔ（Ｄｅ１＋１，Ｄｅ０），Ｄｆ３＝ｄｔ（Ｄｅ１，Ｄｅ０＋１），Ｄｆ４＝ｄｔ（Ｄｅ１＋１，Ｄｅ０＋１）を出力する。
【００４２】
補間回路１６は、補正画像データＤｆ１〜Ｄｆ４、および補間係数ｋ１，ｋ０を用い、以下の式（２）により補正画像データＤｊ１を算出する。
Ｄｊ１＝（１−ｋ０）×｛（１−ｋ１）×Ｄｆ１＋ｋ１×Ｄｆ２｝
＋ｋ０×｛（１−ｋ１）×Ｄｆ３＋ｋ１×Ｄｆ４｝  …（２）
【００４３】
図１５は、上記式（２）により表される補正量Ｄｃ１の算出方法について説明するための説明図である。図１５においてｓ１，ｓ２は、データ変換回路１３において現画像データＤｉ１のビット数を削減する際に用いられる閾値であり、ｓ３，ｓ４は、データ変換回路１４において１フレーム前画像データＤｑ０のビット数を削減する際に用いられる閾値である。ｓ１は、ビット数変換された現画像データＤｅ１に対応する閾値であり、ｓ２は、当該現画像データＤｅ１よりも１階調分大きい現画像データＤｅ１＋１に対応する閾値である。また、ｓ３は、ビット数変換された１フレーム前画像データＤｅ０に対応する閾値であり、ｓ４は、当該１フレーム前画像データＤｅ０よりも１階調分大きい１フレーム前画像データＤｅ０＋１に対応する閾値である。
【００４４】
このとき補間係数ｋ１，ｋ０は、それぞれ以下の式（３）（４）により算出される。
ｋ１＝（Ｄｉ１−ｓ１）／（ｓ２−ｓ１）  …（３）
ただし、ｓ１＜Ｄｉ１≦ｓ２
ｋ０＝（Ｄｑ０−ｓ３）／（ｓ４−ｓ３）  …（４）
ただし、ｓ３＜Ｄｑ０≦ｓ４
【００４５】
図１６は、本実施の形態に係る液晶駆動用画像処理回路の処理工程を示すフローチャートである。Ｓｔ１〜Ｓｔ７の工程は実施の形態１と同様であり、これらの工程を経て１フレーム前画像データＤｑ１が出力される。
画像データ補正回路１０のデータ変換回路１４は、１フレーム前画像データＤｑ０のビット数を削減して、ビット数変換された１フレーム前画像データＤｅ０を出力するとともに、式（４）より補間係数ｋ０を算出する（Ｓｔ２１）。また、データ変換回路１３は、現画像データＤｉ１のビット数を削減して、ビット数変換された現画像データＤｅ１を出力するとともに、式（３）補間係数ｋ１を算出する（Ｓｔ２２）。
【００４６】
ルックアップテーブル１５は、ビット数変換された１フレーム前画像データＤｅ０、および現画像データＤｅ１に対応する補正画像データＤｆ１、およびこれに隣接する補正画像データＤｆ２〜Ｄｆ４を出力する（Ｓｔ２３）。補間回路１６は、補正画像データＤｆ１〜Ｄｆ４、補間係数ｋ０，ｋ１を用いて、式（２）により補正画像データＤｊ１を算出する（Ｓｔ２４）。
【００４７】
上記のように、現画像データＤｉ１、および１フレーム前画像データＤｑ０のビット数を変換する際に算出される補間係数ｋ０，ｋ１を用いて、４つの補正画像データＤｆ１，Ｄｆ２，Ｄｆ３，Ｄｆ４の補間値を算出し、補正画像データＤｊ１を求めることにより、量子化誤差が補正画像データＤｊ１に与える影響を低減することができる。
【００４８】
尚、データ変換回路１３，１４における変換後のビット数は、３ビットに限らず、補間回路１６における補間演算により補正画像データＤｊ１を求めることができれば、任意のビット数を選択することができる。また、現画像データＤｉ１、および１フレーム前画像データＤｑ０のいずれか一方のビット数を削減する構成としてもよい。
さらに、補間回路１６は、線形補間以外に、高次の関数を用いた補間演算により補正画像データＤｊ１を算出するよう構成してもよい。
【００４９】
実施の形態４．
図１７は、本発明に係る液晶駆動用画像処理回路の他の実施形態を示すブロック図である。図１７に示す液晶駆動用画像処理回路は、補正量生成回路１７、補正量調整回路１８、画像データ補正回路１９を備えている。
他の構成は、図１に示す実施の形態１に係る液晶駆動用画像処理回路と同様である。
【００５０】
補正量生成回路１７は、復号化画像データＤｂ０、および１フレーム前画像データＤｉ１を入力とし、両データに基づいて補正量Ｄｃ１を出力する。補正量Ｄｃ１は、実施の形態１と同様に演算によって求めてもよく、また実施の形態２と同様にルックアップテーブルを用いて出力してもよい。
【００５１】
補正量Ｄｃ１は補正量調整回路１８に入力される。補正量調整回路１８は、変化量算出回路８により出力される変化量Ｄｖ１に基づいて、補正量Ｄｃ１の値を調整し、調整後の補正量Ｄｃ２を画像データ補正回路１９に出力する。
【００５２】
復号化画像データＤｂ０には、符号化・復号化による誤差が含まれているため、補正量Ｄｃ１にも誤差が含まれる。補正量調整回路１８は、変化量Ｄｖ１が小さい場合、補正量Ｄｃ１の値を制限することにより、画像データが変化していない場合に発生する補正量Ｄｃ１の誤差を低減する。
【００５３】
より具体的には、図５に示す特性を有する係数ｋを用いて、以下の式（５）により補正量を調整する。
Ｄｃ２＝ｋ×Ｄｃ１  …（５）
【００５４】
補正量調整部１８により出力された調整後の補正量Ｄｃ２は、画像データ補正回路１９に入力される。画像データ補正回路１９は、調整後の補正量Ｄｃ２を用いて現画像データＤｉ１を補正する。
【００５５】
図１８は、本実施の形態に係る液晶駆動用画像処理回路の処理工程を示すフローチャートである。
まず、現画像データＤｉ１が画像データ処理部３に入力される（Ｓｔ１）。符号化回路４は、入力された現画像データＤｉ１を符号化し、符号化画像データＤａ１を出力する（Ｓｔ２）。遅延回路５は、符号化画像データＤａ１を１フレーム期間遅延し、１フレーム前の符号化画像データＤａ０を出力する（Ｓｔ３）。復号化回路７は、符号化画像データＤａ０を復号化し、１フレーム前の現画像データＤｉ０に対応する復号化画像データＤｂ０を出力する（Ｓｔ４）。補正量生成部１７は、現画像データＤｉ１、および復号化画像データＤｂ０に基づいて、補正量Ｄｃ１を出力する（Ｓｔ３１）。
これらの処理に並行して、復号化回路６は、符号化画像データＤａ１を復号化し、現フレームの現画像データＤｉ１に対応する復号化画像データＤｂ１を出力する（Ｓｔ５）。変化量算出回路８は、１フレーム前の復号化画像データＤｂ０と、現フレームの復号化画像データＤｂ１との差分を画素毎に求め、この差分の絶対値を変化量Ｄｖ１として出力する（Ｓｔ６）。
【００５６】
補正量調整部１８は、変化量Ｄｖ１に基づいて、補正量Ｄｃ１を調整して、調整後の補正量Ｄｃ２を出力する（Ｓｔ３２）。
画像データ補正回路１９は、補正量調整部１８が出力する補正量Ｄｃ２を用いて現画像データＤｉ１を補正し、補正画像データＤｊ１を出力する（Ｓｔ３３）。
上記の処理が、現画像データＤｉ１の各画素に対して実施される。
【００５７】
本実施の形態においては、現画像データＤｉ１と復号化画像データＤｂ０から補正量Ｄｃ１を算出するとともに、１フレーム前の復号化画像データＤｂ０と、現フレームの復号化画像データＤｂ１との差分である変化量Ｄｖ１に基づいて算出された補正量Ｄｃ１を制限するので、静止画像が入力された場合は不要な補正を行わず、動画像が入力された場合はその変化量に応じた補正を行い、適切な電圧を液晶に印加することができる。
【図面の簡単な説明】
【００５８】
【図１】本発明に係る液晶駆動用画像処理回路の一実施形態を示すブロック図である。
【図２】液晶の応答特性を示す図である。
【図３】符号化・復号化誤差について説明するための図である。
【図４】本発明に係る液晶駆動用画像処理回路の動作を示すフローチャートである。
【図５】乗算係数ｋの特性を示す図である。
【図６】画像データ補正回路の内部構成の一例を示すブロック図である。
【図７】ルックアップテーブルの構成を示す模式図である。
【図８】液晶の応答速度の一例を示す図である。
【図９】ルックアップテーブルに格納される補正量の一例を示す図である。
【図１０】本発明に係る液晶駆動用画像処理回路の動作を示すフローチャートである。
【図１１】画像データ補正回路の内部構成の一例を示すブロック図である。
【図１２】ルックアップテーブルに格納される補正画像データの一例を示す図である。
【図１３】画像データ補正回路の内部構成の一例を示すブロック図である。
【図１４】ルックアップテーブルの構成を示す模式図である。
【図１５】補間演算について説明するための図である。
【図１６】本発明に係る液晶駆動用画像処理回路の動作を示すフローチャートである。
【図１７】本発明に係る液晶駆動用画像処理回路の一実施例を示すブロック図である。
【図１８】本発明に係る液晶駆動用画像処理回路の動作を示すフローチャートである。
【符号の説明】
【００５９】
１  入力端子、  ２  受信部、  ３  画像データ処理回路、  ４  符号化回路、  ５  遅延回路、  ６，７  復号化回路、  ８  変化量算出回路、  ９  １フレーム前画像データ演算回路、  １０  画像データ補正回路、  １１  表示部、  １３，１４  データ変換回路、  １５  ルックアップテーブル１５、  １６  補間回路。
【図１】
2005352155.tif 000003
【図２】
2005352155.tif 000004
【図３】
2005352155.tif 000005
【図４】
2005352155.tif 000006
【図５】
2005352155.tif 000007
【図６】
2005352155.tif 000008
【図７】
2005352155.tif 000009
【図８】
2005352155.tif 000010
【図９】
2005352155.tif 000011
【図１０】
2005352155.tif 000012
【図１１】
2005352155.tif 000013
【図１２】
2005352155.tif 000014
【図１３】
2005352155.tif 000015
【図１４】
2005352155.tif 000016
【図１５】
2005352155.tif 000017
【図１６】
2005352155.tif 000018
【図１７】
2005352155.tif 000019
【図１８】
2005352155.tif 000020
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
液晶に印加される電圧に対応する画像の各画素の階調値を表す画像データを、前記各画素における階調値の変化に基づいて補正して出力する液晶駆動用画像処理回路であって、
現フレームの画像を表す画像データを符号化することにより、前記現フレームの画像に対応する符号化画像データを出力する符号化手段と、
前記符号化画像データを復号化することにより前記現フレームの画像データに対応する第１の復号化画像データを出力する復号化手段と、
前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データと前記第２の復号化画像データとの差分を画素毎に求め、当該差分に基づいて、前記現フレームの画像データと前記第２の復号化画像データのいずれかを画素毎に選択して１フレーム前画像データを生成する手段と、
前記１フレーム前画像データおよび前記現フレームの画像データに基づいて、当該現フレームの画像の階調値を補正する画像データ補正手段とを備えたことを特徴とする液晶駆動用画像処理回路。
【請求項２】
１フレーム前画像データを生成する手段は、第１の復号化画像データと第２の復号化画像データとの差分が所定の閾値より小さい場合は現フレームの画像データを選択し、前記閾値より大きい場合は前記第２の復号化画像を選択することにより前記１フレーム前画像データを生成することを特徴とする請求項１に記載の液晶駆動用画像処理回路。
【請求項３】
１フレーム前画像データを生成する手段は、第１の復号化画像データと第２の復号化画像データとの差分が第１の閾値より小さい場合は現フレームの画像データを選択し、第２の閾値より大きい場合は前記第２の復号化画像を選択し、前記第１の閾値以上かつ前記第２の閾値以下である場合は前記現フレームの画像データと前記第２の複合化画像データとの重み付き平均値を選択することにより前記１フレーム前画像データを生成することを特徴とする請求項１に記載の液晶駆動用画像処理回路。
【請求項４】
画像データ補正手段は、１フレーム前画像データおよび現フレームの画像データに基づいて、当該現フレームの画像の階調値を補正するための補正量、または当該補正量を用いて前記現フレームの画像データを補正した補正画像データを出力するルックアップテーブルを備えることを特徴とする請求項１〜３のいずれか１項に記載の液晶駆動用画像処理回路。
【請求項５】
現フレームの画像データ、および１フレーム前画像データのビット数を削減するデータ変換手段をさらに備え、
画像データ補正手段は、前記データ変換手段によりビット数を削減した前記現フレームの画像データ、および前記１フレーム前画像データに基づいて、当該現フレームの画像の階調値を補正することを特徴とする請求項１〜３のいずれか１項に記載の液晶駆動用画像処理回路。
【請求項６】
液晶に印加される電圧に対応する画像の各画素の階調値を表す画像データを、前記各画素における階調値の変化に基づいて補正して出力する液晶駆動用画像処理回路であって、
現フレームの画像を表す画像データを符号化することにより、前記現フレームの画像に対応する符号化画像データを出力する符号化手段と、
前記符号化画像データを復号化することにより前記現フレームの画像データに対応する第１の復号化画像データを出力する復号化手段と、
前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データと前記第２の復号化画像データとの差分を画素毎に求める手段と、
前記第２の復号化画像データおよび前記現フレームの画像データに基づいて、当該現フレームの画像の階調値を補正するための補正量を出力する手段と、
前記第１の復号化画像データと前記第２の復号化画像データとの差分に基づいて前記補正量を調整し、調整された補正量に基づいて前記現フレームの画像データを補正する補正手段とを備えたことを特徴とする液晶駆動用画像処理回路。
【請求項７】
請求項１〜６のいずれか１項に記載の液晶駆動用画像処理回路を備えたことを特徴とする液晶表示装置。
【請求項８】
液晶に印加される電圧に対応する画像の各画素の階調値を表す画像データを、前記各画素における階調値の変化に基づいて補正して出力する液晶駆動用画像処理方法であって、
現フレームの画像を表す画像データを符号化することにより、前記現フレームの画像に対応する符号化画像データを出力し、
前記符号化画像データを復号化することにより前記現フレームの画像データに対応する第１の復号化画像データを出力し、
前記符号化画像データを１フレームに相当する期間遅延してから復号化することにより、前記現フレームの１フレーム前の画像データに対応する第２の復号化画像データを出力し、
前記第１の復号化画像データと前記第２の復号化画像データとの差分を画素毎に求め、当該差分に基づいて、前記現フレームの画像データと前記第２の復号化画像データのいずれかを画素毎に選択して１フレーム前画像データを生成し、
前記１フレーム前画像データおよび前記現フレームの画像データに基づいて、当該現フレームの画像の階調値を補正することを特徴とする液晶駆動用画像処理方法。
【請求項９】
第１の復号化画像データと第２の復号化画像データとの差分が所定の閾値より小さい場合は現フレームの画像データを選択し、前記閾値より大きい場合は前記第２の復号化画像を選択することにより前記１フレーム前画像データを生成することを特徴とする請求項８に記載の液晶駆動用画像処理方法。
【請求項１０】
第１の復号化画像データと第２の復号化画像データとの差分が第１の閾値より小さい場合は現フレームの画像データを選択し、第２の閾値より大きい場合は前記第２の復号化画像を選択し、前記第１の閾値以上かつ前記第２の閾値以下である場合は前記現フレームの画像データと前記第２の複合化画像データとの重み付き平均値を選択することにより前記１フレーム前画像データを生成することを特徴とする請求項８に記載の液晶駆動用画像処理方法。
【請求項１１】
現フレームの画像データ、および１フレーム前画像データのビット数を削減し、
ビット数を削減した前記現フレームの画像データ、および前記１フレーム前画像データに基づいて、当該現フレームの画像の階調値を補正することを特徴とする請求項８〜１０のいずれか１項に記載の液晶駆動用画像処理方法。
【請求項１２】
液晶に印加される電圧に対応する画像の各画素の階調値を表す画像データを、前記各画素における階調値の変化に基づいて補正して出力する液晶駆動用画像処理方法であって、
現フレームの画像を表す画像データを符号化することにより、前記現フレームの画像に対応する符号化画像データを出力し、
前記符号化画像データを復号化することにより前記現フレームの画像データに対応する第１の復号化画像データを出力し、
前記符号化画像データを１フレームに相当する期間遅延して復号化することにより、前記現フレームの１フレーム前の画像データに対応する第２の復号化画像データを出力し、
前記第１の復号化画像データと前記第２の復号化画像データとの差分を画素毎に求め、
前記第２の復号化画像データおよび前記現フレームの画像データに基づいて、当該現フレームの画像の階調値を補正するための補正量を出力し、
前記第１の復号化画像データと前記第２の復号化画像データとの差分に基づいて前記補正量を調整し、調整された補正量に基づいて前記現フレームの画像データを補正することを特徴とする液晶駆動用画像処理方法。
【手続補正２】
【補正対象書類名】図面
【補正対象項目名】図３
【補正方法】変更
【補正の内容】
【図３】
2005352155.tif 000021